【手続補正書】
【提出日】平成26年5月7日(2014.5.7)
【手続補正１】
【補正対象書類名】特許請求の範囲
【補正対象項目名】全文
【補正方法】変更
【補正の内容】
【特許請求の範囲】
【請求項１】
アップリンク物理共有チャネル（ＰＵＳＣＨ）を通じてアップリンク制御情報（ＵＣＩ）を送信する方法であって、
データビットとＵＣＩビットを各々コーディングするステップと、
前記コーディングされたデータビットとＵＣＩビットをマルチプレキシングして送信するステップと、を含み、
前記ＰＵＳＣＨは二つの送信ブロック（ＴＢ）を含み、
前記ＵＣＩの各階層でコーディングされた変調シンボルの個数は、前記ＰＵＳＣＨに含まれた第１のＴＢのサイズと関連した値と、第１のＴＢの単一キャリア周波数分割多重接続（ＳＣ−ＦＤＭＡ)シンボルの個数及びスケジューリングされたバンド幅と、前記ＰＵＳＣＨに含まれた第２のＴＢのサイズと関連した値と、第２のＴＢのＳＣ−ＦＤＭＡシンボルの個数及びスケジューリングされたバンド幅と、前記ＵＣＩのビット数と、オフセットによりＵＣＩの各階層別コーディング変調シンボルの個数が決定されることを特徴とするアップリンク制御情報送信方法。
【請求項２】
前記各階層別コーディング変調シンボルの個数を示すパラメータＱ’tempは、次の数式
【数１】
2014082774.tif 000001
に基づいて決定され、前記数式で
【数２】
2014082774.tif 000002
は対応する数を最も近いその数より大きな整数に変換するシーリング関数を示し、Ｏは前記ＵＣＩのビットの個数を示し、
【数３】
2014082774.tif 000003
は該当送信ブロックのための初期ＰＵＳＣＨ送信のためにスケジューリングされた帯域幅を示し、
【数４】
2014082774.tif 000004
は同一の送信ブロックのための初期ＰＵＳＣＨ送信でサブフレーム当たりＳＣ−ＦＤＭＡシンボルの個数を示し、
【数５】
2014082774.tif 000005
はＰＵＳＣＨのオフセットを示し、ＣはＴＢのデータコードブロックの全体個数を示し、
【数６】
2014082774.tif 000006
でデータコードブロックｒのためのビットの個数を示し、ｊは送信ブロックを示すものでｊ=0,1であることを特徴とする請求項１に記載のアップリンク制御情報送信方法。
【請求項３】
前記ＵＣＩは、ハイブリッド自動再送要求（ＨＡＲＱ）−ＡＣＫまたはランク指示子（ＲＩ）を含むことを特徴とする請求項１または２に記載のアップリンク制御情報送信方法。
【請求項４】
前記各階層別コーディング変調シンボルの個数は、次の数式
【数７】
2014082774.tif 000007
に基づいて決定され、
前記数式で、
【数８】
2014082774.tif 000008
は送信ブロックのための現在サブフレームでのＰＵＳＣＨ送信のためにスケジューリングされた帯域幅を示すことを特徴とする請求項２に記載のアップリンク制御情報送信方法。
【請求項５】
アップリンク物理共有チャネル（ＰＵＳＣＨ）を通じてアップリンク制御情報（ＵＣＩ）を送信する装置であって、
データビットとＵＣＩビットを各々コーディングするコーディング部と、
前記コーディングされたデータビットとＵＣＩビットをマルチプレキシングして送信する送信部と、を含み、
前記ＰＵＳＣＨは二つの送信ブロック（ＴＢ）を含み、
前記ＵＣＩの各階層でコーディングされた変調シンボルの個数は、前記ＰＵＳＣＨに含まれた第１のＴＢのサイズと関連した値と、第１のＴＢの単一キャリア周波数分割多重接続（ＳＣ−ＦＤＭＡ)シンボルの個数及びスケジューリングされたバンド幅と、前記ＰＵＳＣＨに含まれた第２のＴＢのサイズと関連した値と、第２のＴＢのＳＣ−ＦＤＭＡシンボルの個数及びスケジューリングされたバンド幅と、前記ＵＣＩのビット数と、オフセットによりＵＣＩの各階層別コーディング変調シンボルの個数が決定されることを特徴とするアップリンク制御情報送信装置。
【請求項６】
前記各階層別コーディング変調シンボルの個数を示すパラメータＱ’tempは、次の数式
【数９】
2014082774.tif 000009
に基づいて決定され、前記数式で、
【数１０】
2014082774.tif 000010
は対応する数を最も近いその数より大きな整数に変換するシーリング関数を示し、Ｏは前記ＵＣＩのビットの個数を示し、
【数１１】
2014082774.tif 000011
は該当送信ブロックのための現在サブフレームでの初期ＰＵＳＣＨ送信のためにスケジューリングされた帯域幅を示し、
【数１２】
2014082774.tif 000012
は同一の送信ブロックのための初期ＰＵＳＣＨ送信でサブフレーム当たりＳＣ−ＦＤＭＡシンボルの個数を示し、
【数１３】
2014082774.tif 000013
はＰＵＳＣＨのオフセットを示し、ＣはＴＢのデータコードブロックの全体個数を示し、
【数１４】
2014082774.tif 000014
でデータコードブロックｒのためのビットの個数を示し、ｊは送信ブロックを示すものでｊ=0,1であることを特徴とする請求項５に記載のアップリンク制御情報送信装置。
【請求項７】
前記ＵＣＩは、ハイブリッド自動再送要求（ＨＡＲＱ）−ＡＣＫまたはランク指示子（ＲＩ）を含むことを特徴とする請求項５又は６に記載のアップリンク制御情報送信装置。
【請求項８】
前記各階層別コーディング変調シンボルの個数は、次の数式
【数１５】
2014082774.tif 000015
に基づいて決定され、
前記数式で、
【数１６】
2014082774.tif 000016
は送信ブロックのための現在サブフレームでのＰＵＳＣＨ送信のためにスケジューリングされた帯域幅を示すことを特徴とする請求項６に記載のアップリンク制御情報送信装置。
【請求項９】
アップリンク物理共有チャネル（ＰＵＳＣＨ）を通じてアップリンク制御情報（ＵＣＩ）を受信する方法であって、
信号を受信してデータビットとＵＣＩビットにデマルチプレキシングする過程と、
前記デマルチプレキシングされたデータビットとＵＣＩビットを各々デコーディングするステップと、を含み、
前記ＰＵＳＣＨは二つの送信ブロック（ＴＢ）を含み、
前記ＵＣＩの各階層でコーディングされた変調シンボルの個数は、前記ＰＵＳＣＨに含まれた第１のＴＢのサイズと関連した値と、第１のＴＢの単一キャリア周波数分割多重接続（ＳＣ−ＦＤＭＡ）シンボルの個数及びスケジューリングされたバンド幅と、前記ＰＵＳＣＨに含まれた第２のＴＢのサイズと関連した値と、第２のＴＢのＳＣ−ＦＤＭＡシンボルの個数及びスケジューリングされたバンド幅と、前記ＵＣＩのビット数と、オフセットによりＵＣＩの各階層別コーディング変調シンボルの個数が決定されることを特徴とするアップリンク制御情報受信方法。
【請求項１０】
前記各階層別コーディング変調シンボルの個数を示すパラメータＱ’temp は、次の数式
【数１７】
2014082774.tif 000017
に基づいて決定され、前記数式で
【数１８】
2014082774.tif 000018
は対応する数を最も近いその数より大きな整数に変換するシーリング関数を示し、Ｏは前記ＵＣＩのビットの個数を示し、
【数１９】
2014082774.tif 000019
は該当送信ブロックのための現在サブフレームでの初期ＰＵＳＣＨ送信のためにスケジューリングされた帯域幅を示し、
【数２０】
2014082774.tif 000020
は同一の送信ブロックのための初期ＰＵＳＣＨ送信でサブフレーム当たりＳＣ−ＦＤＭＡシンボルの個数を示し、
【数２１】
2014082774.tif 000021
はＰＵＳＣＨのオフセットを示し、ＣはＴＢのデータコードブロックの全体個数を示し、
【数２２】
2014082774.tif 000022
でデータコードブロックｒのためのビットの個数を示し、ｊは送信ブロックを示すものでｊ=0,1であることを特徴する請求項９に記載のアップリンク制御情報受信方法。
【請求項１１】
前記ＵＣＩは、ハイブリッド自動再送要求（ＨＡＲＱ）−ＡＣＫまたはランク指示子（ＲＩ）を含むことを特徴する請求項９又は１０に記載のアップリンク制御情報受信方法。
【請求項１２】
前記各階層別コーディング変調シンボルの個数は、次の数式
【数２３】
2014082774.tif 000023
に基づいて決定され、
前記数式で、
【数２４】
2014082774.tif 000024
は送信ブロックのための現在サブフレームでのＰＵＳＣＨ送信のためにスケジューリングされた帯域幅を示すことを特徴する請求項１０に記載のアップリンク制御情報受信方法。
【請求項１３】
アップリンク物理共有チャネル（ＰＵＳＣＨ）を通じてアップリンク制御情報（ＵＣＩ）を受信する装置であって、
信号を受信してデータビットとＵＣＩビットにデマルチプレキシングする受信部と、
前記デマルチプレキシングされたデータビットとＵＣＩビットを各々デコーディングするデコーディング部と、を含み、
前記ＰＵＳＣＨは二つの送信ブロック（ＴＢ）を含み、
前記ＵＣＩの各階層でコーディングされた変調シンボルの個数は、前記ＰＵＳＣＨに含まれた第１のＴＢのサイズと関連した値と、第１のＴＢの単一キャリア周波数分割多重接続（ＳＣ−ＦＤＭＡ)シンボルの個数及びスケジューリングされたバンド幅と、前記ＰＵＳＣＨに含まれた第２のＴＢのサイズと関連した値と、第２のＴＢのＳＣ−ＦＤＭＡシンボルの個数及びスケジューリングされたバンド幅と、前記ＵＣＩのビット数と、オフセットによりＵＣＩの各階層別コーディング変調シンボルの個数が決定されることを特徴とするアップリンク制御情報受信装置。
【請求項１４】
前記各階層別コーディング変調シンボルの個数を示すパラメータＱ’tempは、次の数式
【数２５】
2014082774.tif 000025
に基づいて決定され、前記数式で
【数２６】
2014082774.tif 000026
は対応する数を最も近いその数より大きな整数に変換するシーリング関数を示し、Ｏは前記ＵＣＩのビットの個数を示し、
【数２７】
2014082774.tif 000027
は該当送信ブロックのための現在サブフレームでの初期ＰＵＳＣＨ送信のためにスケジューリングされた帯域幅を示し、
【数２８】
2014082774.tif 000028
は同一の送信ブロックのための初期ＰＵＳＣＨ送信でサブフレーム当たりＳＣ−ＦＤＭＡシンボルの個数を示し、
【数２９】
2014082774.tif 000029
はＰＵＳＣＨのオフセットを示し、ＣはＴＢのデータコードブロックの全体個数を示し、
【数３０】
2014082774.tif 000030
でデータコードブロックｒのためのビットの個数を示し、ｊは送信ブロックを示すものでｊ=0,1であることを特徴とする請求項１３に記載のアップリンク制御情報受信装置。
【請求項１５】
前記ＵＣＩは、ハイブリッド自動再送要求（ＨＡＲＱ）−ＡＣＫまたはランク指示子（ＲＩ）を含むことを特徴とする請求項１３又は１４に記載のアップリンク制御情報受信装置。
【請求項１６】
前記各階層別コーディング変調シンボルの個数は、次の数式
【数３１】
2014082774.tif 000031
に基づいて決定され、
前記数式で、
【数３２】
2014082774.tif 000032
は送信ブロックのための現在サブフレームでのＰＵＳＣＨ送信のためにスケジューリングされた帯域幅を示すことを特徴とする請求項１０に記載のアップリンク制御情報受信装置。